(57)【要約】【課題】  ユーザーの視点位置がいずれであっても、当該視点位置においてユーザーが視聴する映像を確実に認識させることが可能なステレオ表示装置を提供すること。【解決手段】操作制御部５は、操作スイッチ２による視聴設定から、ディスプレイ１を左側または右側から目視した場合に視聴される映像の出力元がナビゲーション装置３またはＤＶＤレコーダ４のいずれであるかを判断し、当該映像の出力元に対応するガンマ値をガンマ値テーブルから読み出して、左側ガンマ値および右側ガンマ値とする。これにより、ユーザーの視点位置がディスプレイ１の左側および右側のいずれにある場合でも、算出された左側ガンマ値および右側ガンマ値に従って補正されてステレオ映像表示されることとなるため、ユーザーに映像を確実に認識させることが可能となる。【選択図】      図１
2007086189.tif 000002
【特許請求の範囲】
【請求項１】
同一の表示画面に複数の異なる映像を同時表示し、ユーザーが表示画面を目視する際の視点位置に応じて、同時表示された複数の異なる映像のうちのいずれかの映像をユーザーに視聴させるステレオ表示装置であって、
前記ユーザーの各視点位置から前記表示画面を目視した場合に視聴される映像の各々に対し、当該映像をユーザーが視聴する場合に最適となるガンマ値をそれぞれ算出する算出手段と、
前記算出手段が算出した前記ガンマ値に従って、当該ガンマ値に対応する映像を前記表示画面に表示させる表示制御手段とを備えることを特徴とするステレオ表示装置。
【請求項２】
前記算出手段は、前記ユーザーの視点位置が前記表示画面の左側にある場合に、当該視点位置から前記表示画面を目視した場合に視聴される映像に対して最適となる前記ガンマ値を左側ガンマ値として算出するとともに、前記ユーザーの視点位置が前記表示画面の右側にある場合に、当該視点位置から前記表示画面を目視した場合に視聴される映像に対して最適となる前記ガンマ値を右側ガンマ値として算出し、
前記表示制御手段は、前記算出手段が算出した前記左側ガンマ値および前記右側ガンマ値に従って、当該ガンマ値に対応する映像を前記表示画面に表示させることを特徴とする請求項１記載のステレオ表示装置。
【請求項３】
前記表示画面は、複数の映像機器から取得した映像データの映像を同時表示するものであり、
前記算出手段は、前記映像データの取得元となる映像機器毎に、当該映像機器からの映像データの映像をユーザーが視聴する場合に最適となるガンマ値を、前記左側ガンマ値および前記右側ガンマ値として算出することを特徴とする請求項２記載のステレオ表示装置。
【請求項４】
前記算出手段は、前記複数の映像機器毎に、当該映像機器からの映像データの映像をユーザーが視聴する場合に最適となるガンマ値が登録されたテーブルを有し、
前記映像データの取得元となる映像機器に対応するガンマ値を前記テーブルから参照して、前記左側ガンマ値および前記右側ガンマ値として算出することを特徴とする請求項３記載のステレオ表示装置。
【請求項５】
前記ユーザーの視点位置が前記表示画面の左側にあり、当該視点位置から前記表示画面を目視した場合に視聴される映像の映像データの取得元となる映像機器と、前記ユーザーの視点位置が前記表示画面の右側にあり、当該視点位置から前記表示画面を目視した場合に視聴される映像の映像データの取得元となる映像機器とを指定する指定手段を設けることを特徴とする請求項３または請求項４記載のステレオ表示装置。
【請求項６】
前記ユーザーの視点位置が前記表示画面の左側にあり、当該視点位置から前記表示画面を目視した場合に視聴される映像に対応する音声と、前記ユーザーの視点位置が前記表示画面の右側にあり、当該視点位置から前記表示画面を目視した場合に視聴される映像に対応する音声とを、それぞれ出力する音声出力手段を設けることを特徴とする請求項３から請求項５のいずれかに記載のステレオ表示装置。
【請求項７】
前記ステレオ表示装置は、車両に搭載されて動作することを特徴とする請求項１から請求項６のいずれかに記載のステレオ表示装置。
【発明の詳細な説明】
【技術分野】
【０００１】
本発明は、表示画面に同時表示される複数の異なる映像の各々のガンマ値を設定可能なステレオ表示装置に関する。
【背景技術】
【０００２】
従来、表示画面の視野角に応じてガンマ値を変更する表示装置が公知である。例えば、特許文献１の装置では、表示画面であるＬＣＤパネルの開閉角度（視野角）を検出するとともに、検出された開閉角度に応じたガンマ値（ガンマ曲線）を選定する。そして、選定されたガンマ値に従って、ＬＣＤパネルの階調度合いを調整する。
【特許文献１】特開２００２−２５８２４４号公報
【発明の開示】
【発明が解決しようとする課題】
【０００３】
このように、従来装置では、ＬＣＤパネルの開閉角度（視野角）に応じたガンマ値に従って階調度合いを調整することで、表示画面に表示された映像をユーザーが認識しやすいようにしている。しかしながら、従来装置では、表示画面に単一の映像を表示する場合を念頭に置いており、表示画面に複数の映像を同時表示させ、ユーザーの視点位置に応じて、前述の複数の映像のうちのいずれかの映像を当該ユーザーに視聴させるステレオ表示装置の場合については考慮されていない。このようなステレオ表示装置では、通常、前述した複数の映像のうちのいずれか一つの映像に対して最適なガンマ値を選定した後、当該ガンマ値に従って他の映像も表示させる。そのため、ユーザーの視点位置によっては、当該ユーザーが視聴する映像は、当該映像における最適なガンマ値によって表示画面に表示されないことがあり、ユーザーが当該映像を認識しにくい場合がある。
【０００４】
本発明は、上記の問題に鑑みてなされたものであり、ユーザーの視点位置がいずれであっても、当該視点位置においてユーザーが視聴する映像を確実に認識させることが可能なステレオ表示装置の提供を目的とする。
【課題を解決するための手段】
【０００５】
上記目的を達成するために、請求項１に記載のステレオ表示装置では、同一の表示画面に複数の異なる映像を同時表示し、ユーザーが表示画面を目視する際の視点位置に応じて、同時表示された複数の異なる映像のうちのいずれかの映像をユーザーに視聴させるステレオ表示装置であって、ユーザーの各視点位置から表示画面を目視した場合に視聴される映像の各々に対し、当該映像をユーザーが視聴する場合に最適となるガンマ値をそれぞれ算出する算出手段と、算出手段が算出したガンマ値に従って、当該ガンマ値に対応する映像を表示画面に表示させる表示制御手段とを備えることを特徴とする。
【０００６】
このように、本発明のステレオ表示装置では、ユーザーの視点位置に応じて視聴される映像の各々に対し、当該映像をユーザーが視聴する場合に最適となるガンマ値を算出手段によって算出する。表示制御手段は、算出手段が算出したガンマ値の各々に従って、当該ガンマ値に対応する映像を表示画面に表示させる。これにより、ユーザーが表示画面をいずれの方向から目視する場合でも、ユーザーの視聴する映像は算出手段が算出した、当該映像の視聴に最適なガンマ値に従って表示画面に表示される。そのため、本ステレオ表示装置では、ユーザーの視点位置がいずれであっても、当該視点位置においてユーザーが視聴する映像を確実に認識させることが可能となる。
【０００７】
請求項２に記載のように、算出手段は、ユーザーの視点位置が表示画面の左側にある場合に、当該視点位置から表示画面を目視した場合に視聴される映像に対して最適となるガンマ値を左側ガンマ値として算出するとともに、ユーザーの視点位置が表示画面の右側にある場合に、当該視点位置から表示画面を目視した場合に視聴される映像に対して最適となるガンマ値を右側ガンマ値として算出し、表示制御手段は、算出手段が算出した左側ガンマ値および右側ガンマ値に従って、当該ガンマ値に対応する映像を表示画面に表示させることが望ましい。これにより、ユーザーの視点位置が表示画面の左側または右側のいずれにある場合でも、ユーザーが視聴する映像は算出手段が算出した左側ガンマ値または右側ガンマ値に従って表示画面に表示されるため、ユーザーは当該映像をより確実に認識できる。
【０００８】
請求項３に記載のように、表示画面は、複数の映像機器から取得した映像データの映像を同時表示するものであり、算出手段は、映像データの取得元となる映像機器毎に、当該映像機器からの映像データの映像をユーザーが視聴する場合に最適となるガンマ値を、左側ガンマ値および右側ガンマ値として算出することが望ましい。前述の左側ガンマ値および右側ガンマ値は、映像データの取得元となる映像機器毎に決定される場合が多いためである。
【０００９】
請求項４に記載のように、算出手段は、複数の映像機器毎に、当該映像機器からの映像データの映像をユーザーが視聴する場合に最適となるガンマ値が登録されたテーブルを有し、映像データの取得元となる映像機器に対応するガンマ値をテーブルから参照して、左側ガンマ値および右側ガンマ値として算出することが望ましい。これにより、算出手段は前述のテーブルを参照して、左側ガンマ値および右側ガンマ値の算出を即座に行うことができる。
【００１０】
請求項５に記載のように、ユーザーの視点位置が表示画面の左側にあり、当該視点位置から表示画面を目視した場合に視聴される映像の映像データの取得元となる映像機器と、ユーザーの視点位置が表示画面の右側にあり、当該視点位置から表示画面を目視した場合に視聴される映像の映像データの取得元となる映像機器とを指定する指定手段を設けることが望ましい。これにより、ユーザーの視点位置が表示画面の左側および右側のいずれにある場合でも、指示手段によって、当該視点位置から視聴したい映像の映像データを出力する映像機器を指定できる。
【００１１】
請求項６に記載のように、ユーザーの視点位置が表示画面の左側にあり、当該視点位置から表示画面を目視した場合に視聴される映像に対応する音声と、ユーザーの視点位置が表示画面の右側にあり、当該視点位置から表示画面を目視した場合に視聴される映像に対応する音声とを、それぞれ出力する音声出力手段を設けることが望ましい。これにより、ユーザーの視点位置が表示画面の左側および右側のいずれにある場合でも、ユーザーは視聴する映像と対応する音声までも確実に視聴できる。
【発明を実施するための最良の形態】
【００１２】
図１は、本発明の一実施形態におけるステレオ表示装置の全体構成を示すブロック図である。本ステレオ表示装置は、車両に搭載されて動作する。
【００１３】
図１に示すように、ディスプレイ１は、車載用の液晶ディスプレイであり、ステレオ映像信号に従って公知のステレオ映像表示を行う。前述のステレオ映像信号には、２つの映像信号と、表示映像の視野角を左右に偏向する偏向信号とが含まれており、ディスプレイ１は２つの映像信号の示す映像を、偏向信号に従って左右いずれかに視野角を偏向させて所定時間毎に交互に表示し、ステレオ映像表示を行う。すなわち、ユーザーがディスプレイ１の左側から当該ディスプレイを目視した場合、２つの映像信号のうちの一方の映像信号の示す映像のみが視聴され、ユーザーがディスプレイ１の右側から目視した場合には、もう一方の映像信号の示す映像のみが視聴されるよう、映像表示を行うのである。以上が本実施形態のディスプレイ１におけるステレオ映像表示である。なお、前述のステレオ映像表示に関しては、偏向信号に従って左右に視野角を偏向させる偏向フィルタを備えた、小型のＣＲＴを用いることとしても良い。
【００１４】
操作スイッチ２は、複数のメカニカルなスイッチから構成され、ステレオ映像表示における視聴設定を行う。この視聴設定は、ディスプレイ１を左側または右側から目視した場合に視聴される映像を、ナビゲーション装置３またはＤＶＤレコーダ４の映像のいずれとするかを設定するものである。これにより、ユーザーがディスプレイ１の左側および右側のいずれの側から当該ディスプレイを目視する場合でも、当該ユーザーが視聴したい映像の出力元となる機器を指定できるのである。前述の視聴設定に関しては、操作キーを表示する表示パネルと、当該表示パネルに表示された操作キーを押したことを検出するタッチパネルを備えたタッチスイッチによって構成しても良い。また、リモコンや音声入力等によって行うこととしても良い。
【００１５】
操作制御部５は、公知のコンピュータから構成され、ナビゲーション装置３およびＤＶＤレコーダ４から映像信号および音声信号をそれぞれ取得する。そして、操作スイッチ２による視聴設定（ディスプレイ１を左側または右側から目視した場合に視聴される映像が、ナビゲーション装置３またはＤＶＤレコーダ４の映像のうちのいずれとするか）に従って、偏向信号を生成する。
【００１６】
さらに、操作制御部５は、操作スイッチ２による視聴設定から、ディスプレイ１を左側から目視した場合に視聴される映像に最適となるガンマ値（以下、左側ガンマ値とする）と、ディスプレイ１を右側から目視した場合に視聴される映像に最適となるガンマ値（以下、右側ガンマ値とする）とを算出する。前述のガンマ値とは、ディスプレイに入力する映像信号のレベルとディスプレイの発光量が比例する場合を１とした、入力する映像信号のレベルとディスプレイの発光量との乖離度合いを示すものであり、主に中間色の明るさを補正する補正値である。また、前述した最適となるガンマ値（左側ガンマ値および右側ガンマ値）は、ディスプレイに接続するハードウェアの種類によって決定される。本実施形態では、操作制御部５は、ナビゲーション装置３およびＤＶＤレコーダ４から出力される映像信号を映像表示した場合に最適となるガンマ値が予め登録されているガンマ値テーブルを有し、操作スイッチ２による視聴設定から、ディスプレイ１を左側または右側から目視した場合に視聴される映像の出力元がナビゲーション装置３またはＤＶＤレコーダ４のいずれであるかを判断して、当該映像の出力元に対応するガンマ値をガンマ値テーブルから読み出すことにより、左側ガンマ値および右側ガンマ値を算出する。
【００１７】
また、操作制御部５は、ナビゲーション装置３およびＤＶＤレコーダ４から取得した音声信号と、操作スイッチ２による視聴設定とを、後述する音声制御部６へ出力する。
【００１８】
音声制御部６は、操作制御部５から取得したナビゲーション装置３およびＤＶＤレコーダ４取得した音声信号を、操作制御部５から取得した視聴設定に従って、右スピーカ７または左スピーカ８へそれぞれ出力させ、音声出力を行わせる。これにより、ユーザーは視聴する映像に対応する音声までも確実に把握できる。
【００１９】
表示制御部９は、信号処理回路から構成され、操作制御部５からナビゲーション装置３およびＤＶＤレコーダ４からの映像信号と偏向信号とを取得する。また、操作制御部５が算出した左側ガンマ値および右側ガンマ値を取得する。そして、前述した２つの映像信号を左側ガンマ値および右側ガンマ値に従って補正するとともに、偏向信号と組み合わせてステレオ映像信号を生成し、ディスプレイ１へ出力する。
【００２０】
図２は、本実施形態のステレオ表示装置において、操作制御部５が視聴設定に従って左側ガンマ値および右側ガンマ値を算出する処理に関するフローチャートである。本フローチャートの処理は、所定時間毎に行われる。
【００２１】
ステップ２０１では、操作制御部５は、ディスプレイ１を右側から目視した場合に視聴される映像の出力元となる機器を視聴設定から判別する。ステップ２０２では、ステップ２０１で判別された、ディスプレイ１を右側から目視した場合に視聴される映像の出力元となる機器が、前回判別した場合と異なるか否かを判定する。前回判別した場合と異なると判定された場合は、ステップ２０３へ進む。前回判別した場合と一致する場合には、ステップ２０４へ進む。
【００２２】
ステップ２０３では、ステップ２０１で判別された、ディスプレイ１を右側から目視した場合に視聴される映像の出力元の機器に対応するガンマ値を、ガンマ値テーブルから読み出して右側ガンマ値とし、ステップ２０４へ進む。当該映像の出力元の機器ごとに予め最適なガンマ値が登録されているガンマ値テーブルを利用することで、右側ガンマ値を即座に算出できるのである。
【００２３】
ステップ２０４では、操作制御部５は、ディスプレイ１を右側から目視した場合に視聴される映像の出力元となる機器を視聴設定から判別する。ステップ２０５では、ステップ２０４で判別された、ディスプレイ１を左側から目視した場合に視聴される映像の出力元となる機器が、前回判別した場合と異なるか否かを判定する。前回判別した場合と異なると判定された場合は、ステップ２０６へ進む。前回判別した場合と一致する場合には、処理を終了する。
【００２４】
ステップ２０６では、ステップ２０４で判別された、ディスプレイ１を左側から目視した場合に視聴される映像の出力元の機器に対応するガンマ値を、ガンマ値テーブルから読み出して左側ガンマ値とし、処理を終了する。ステップ２０３の場合と同様、当該映像の出力元の機器ごとに予め最適なガンマ値が登録されているガンマ値テーブルを利用することで、左側ガンマ値を即座に算出できるのである。
【００２５】
このように、本実施形態のステレオ表示装置では、操作制御部５は、操作スイッチ２による視聴設定から、ディスプレイ１を左側または右側から目視した場合に視聴される映像の出力元がナビゲーション装置３またはＤＶＤレコーダ４のいずれであるかを判断し、当該映像の出力元に対応するガンマ値をガンマ値テーブルから読み出して、左側ガンマ値および右側ガンマ値とする。これにより、ユーザーの視点位置がディスプレイ１の左側および右側のいずれにある場合でも、算出された左側ガンマ値および右側ガンマ値に従って補正されてステレオ映像表示されることとなるため、ユーザーに映像を確実に認識させることが可能となる。
【００２６】
本実施形態では、ナビゲーション装置３およびＤＶＤレコーダ４の出力する映像信号からステレオ映像信号を生成し、ステレオ映像表示を行った。しかしながら、これに限定されるものではなく、例えばＴＶチューナやＨＤＤからの映像信号からステレオ映像信号を生成し、ステレオ映像表示を行うこととしても良い。
【００２７】
前述した実施形態では、本ステレオ表示装置は車両に搭載されて動作したが、これに限定されるものではなく、例えば飛行機のシートに設けられたステレオ表示機器等にも好適に利用できる。しかしながら、最も好適なのは、車両に搭載されて動作した場合であることを言及しておく。
【図面の簡単な説明】
【００２８】
【図１】本発明の一実施形態におけるステレオ表示装置の全体構成を示すブロック図である。
【図２】本実施形態のステレオ表示装置において、操作制御部が視聴設定に従って左側ガンマ値および右側ガンマ値を算出する処理に関するフローチャートである。
【符号の説明】
【００２９】
１…ディスプレイ
２…操作スイッチ
３…ナビゲーション装置
４…ＤＶＤレコーダ
５…操作制御部
６…音声制御部
７…左スピーカ
８…右スピーカ
９…表示制御部
【図１】
2007086189.tif 000003
【図２】
2007086189.tif 000004